(57)【要約】  実施例は、同心円の円周上に配置される複数個の光源；前記光源を囲み、前記光源と隣接して配置される光ガイド部；及び前記光源の上面と前記光ガイド部の上面及び側面を囲むカバー部材を含み、前記光ガイド部は、前記光源方向の第１面及び前記光源と反対方向の第２面が、前記光源から放出された光の光軸に対して傾斜を有し、前記カバー部材は、前記光ガイド部の上面と向かい合う光拡散領域で透光性パターンを有する照明装置を提供する。【選択図】  図８
2020534646.tif 000002
【特許請求の範囲】
【請求項１】
同心円の円周上に配置される複数個の光源；
前記光源を囲み、前記光源と隣接して配置される光ガイド部；及び
前記光源の上面と前記光ガイド部の上面及び側面を囲むカバー部材を含み、
前記光ガイド部は、前記光源方向の第１面及び前記光源と反対方向の第２面が、前記光源から放出された光の光軸に対して傾斜を有し、
前記カバー部材は、前記光ガイド部の上面と向かい合う光拡散領域で透光性パターンを有する照明装置。
【請求項２】
前記複数個の光源の光出射面は前記同心円の中心と反対方向に配置される、請求項１に記載の照明装置。
【請求項３】
前記複数個の光源から放出される光の光軸は、前記同心円の中心から延長して配置され、
隣接した前記光源から放出される光の光軸同士がなす角度は、互いに同一である、請求項１に記載の照明装置。
【請求項４】
前記光ガイド部は、中央の第１領域に複数個の溝が設けられ、
前記溝のそれぞれに前記複数個の光源が一つずつ挿入され、
前記それぞれの溝の水平方向の断面は少なくとも４個の辺を有し、
前記それぞれの溝は、前記光源の光出射面方向の第１面と、前記第１面と向かい合う第２面と、前記第１面と第２面との間の第３面及び第４面を含む、請求項１〜３のいずれかに記載の照明装置。
【請求項５】
前記光ガイド部の光入射面が前記光源から放出される光の光軸に対して傾いた程度と、前記光ガイド部の光出射面が前記光源から放出される光の光軸に対して傾いた程度とが同一である、請求項４に記載の照明装置。
【請求項６】
前記光ガイド部の光入射面が前記光源から放出される光の光軸に対して傾いた第１角度は４０°〜５０°であり、
前記光ガイド部の光出射面が前記光源から放出される光の光軸に対して傾いた第２角度は１３０°〜１４０°である、請求項１に記載の照明装置。
【請求項７】
前記カバー部材の透光性パターンは、前記複数個の光源から放出される光の光軸の上部に配置される、請求項４に記載の照明装置。
【請求項８】
前記カバー部材は、前記透光性パターンの内側領域と外側領域に遮光部をさらに含み、前記内側領域の厚さは前記光拡散領域の厚さよりも厚い、請求項４に記載の照明装置。
【請求項９】
前記光ガイド部は、下面に第１パターンが設けられた、請求項４に記載の照明装置。
【請求項１０】
前記光ガイド部と前記カバー部材とが互いに離隔配置され、前記離隔した領域にエアーガイド（ａｉｒ  ｇｕｉｄｅ）が形成される、請求項４に記載の照明装置。
【発明の詳細な説明】
【技術分野】
【０００１】
実施例は照明装置に関し、より詳細には、車両の外部に備えられる照明装置に関する。
【背景技術】
【０００２】
半導体の３−５族又は２−６族化合物半導体物質を用いた発光ダイオード（Ｌｉｇｈｔ  Ｅｍｉｔｔｉｎｇ  Ｄｉｏｄｅ）やレーザーダイオードのような発光素子は、薄膜成長技術及び素子材料の開発により、赤色、緑色、青色及び紫外線などの様々な色を具現することができ、蛍光物質を用いたり色を組み合わせることによって効率の良い白色光線も具現可能であり、蛍光灯、白熱灯などの既存の光源に比べて低消費電力、半永久的な寿命、速い応答速度、安全性、環境へのやさしさといった長所を有する。
【０００３】
したがって、光通信手段の送信モジュール、ＬＣＤ（Ｌｉｑｕｉｄ  Ｃｒｙｓｔａｌ  Ｄｉｓｐｌａｙ）表示装置のバックライトを構成する冷陰極管（ＣＣＦＬ：Ｃｏｌｄ  Ｃａｔｈｏｄｅ  Ｆｌｕｏｒｅｓｃｅｎｃｅ  Ｌａｍｐ）を代替する発光ダイオードバックライト、蛍光灯や白熱電球を代替し得る白色発光ダイオード照明装置、自動車ヘッドライト及び信号灯にまで応用が拡大されつつある。
【０００４】
自動車などの照明装置として使用されるとき、発光ダイオードから放出された光を導光板を用いて外部に放出している。
【０００５】
導光板は面光源を具現するのに有利な装置であるが、導光板自体の材質が柔軟でないため、屈曲した外部形状を具現し難く、しかも所望の形状や色相の光イメージを具現し難いため、製品設計及びデザイン変形がし難いことがある。
【発明の概要】
【発明が解決しようとする課題】
【０００６】
実施例は、車両用照明装置などで外部に表示される光のイメージを多様化しようとする。
【０００７】
また、車両などに使用されるとき、前面に進行する光量が増加する照明装置を提供しようとする。
【課題を解決するための手段】
【０００８】
実施例は、同心円の円周上に配置される複数個の光源；前記光源を囲み、前記光源と隣接して配置される光ガイド部；及び前記光源の上面と前記光ガイド部の上面及び側面を囲むカバー部材を含み、前記光ガイド部は、前記光源方向の第１面及び前記光源と反対方向の第２面が、前記光源から放出された光の光軸に対して傾斜を有し、前記カバー部材は、前記光ガイド部の上面と向かい合う光拡散領域で透光性パターンを有する照明装置を提供する。
【０００９】
複数個の光源の光出射面は前記同心円の中心と反対方向に配置され得る。
【００１０】
複数個の光源から放出される光の光軸は、前記同心円の中心から延長して配置され得る。
【００１１】
隣接した前記光源から放出される光の光軸同士がなす角度は、互いに同一であり得る。
【００１２】
光ガイド部は、中央の第１領域に複数個の溝が設けられ、前記溝のそれぞれに前記複数個の光源が一つずつ挿入され得る。
【００１３】
それぞれの溝の水平方向の断面は少なくとも４個の辺を有することができる。
【００１４】
それぞれの溝は、前記光源の光出射面の方向の第１面、前記第１面と向かい合う第２面、及び前記第１面と第２面との間の第３面及び第４面を含むことができる。
【００１５】
光ガイド部の光入射が前記光源から放出される光の光軸に対して傾いた程度と、前記光ガイド部の光出射面が前記光源から放出される光の光軸に対して傾いた程度が、互いに同一であり得る。
【００１６】
光ガイド部の光入射面が前記光源から放出される光の光軸に対して傾いた第１角度は、４０°〜５０°であり得る。
【００１７】
光ガイド部の光出射面が前記光源から放出される光の光軸に対して傾いた第２角度は、１３０°〜１４０°であり得る。
【００１８】
カバー部材の透光性パターンは、前記複数個の光源から放出される光の光軸の上部に配置され得る。
【００１９】
カバー部材は、前記透光性パターンの内側領域と外側領域に遮光部をさらに含むことができる。
【００２０】
内側領域の厚さは前記光拡散領域の厚さよりも厚くてよい。
【００２１】
光ガイド部は、下面に第１パターンが設けられ得る。
【００２２】
光ガイド部と前記カバー部材との間は離隔しており、該離隔した領域にエアーガイド（ａｉｒ  ｇｕｉｄｅ）が形成され得る。
【００２３】
他の実施例は、同心円の円周上に配置される複数個の光源；前記光源を囲み、前記光源と隣接して配置される光ガイド部；及び前記光源の上面と前記光ガイド部の上面及び側面を囲むカバー部材を含み、前記カバー部材は、前記光ガイド部と向かい合う内側面が前記光源から放出される光の光軸に対して傾斜を有する照明装置を提供する。
【発明の効果】
【００２４】
実施例に係る照明装置は、光ガイド部の光入射面及び光出射面の傾斜した構成によって集光効果が向上し、従来の照明装置に比べて前面に進行する光量がより増加し得る。
【００２５】
また、上述した光ガイド部の光入射面及び光出射面の傾斜した構成と透光性パターンによって新しいイメージが具現され得る。
【００２６】
また、カバー部材の内側面を傾斜にすると、光ガイド部を通過した光がカバー部材の内側面で反射され、照明装置の縁領域における照度が上昇し得る。
【図面の簡単な説明】
【００２７】
【図１】実施例に係る照明装置の光源と光ガイド部の上面を示す図である。
【図２】図１のＩ−Ｉ’軸方向の側断面図である。
【図３】図１で光源と光ガイド部の第２領域を詳細に示す図である。
【図４】図３の一部分を拡大した断面図である。
【図５】図３の他の部分を拡大した断面図である。
【図６】実施例に係る照明装置内のカバー部材の斜視図である。
【図７】図６のカバー部材の上面を示す図である。
【図８】図１で各発光素子から出射される光の光軸を示す図である。
【図９】図１で第２溝内の第２光源を詳細に示す図である。
【図１０】図１で第２光源から放出された光の光ガイド部を通る経路を示す図である。
【図１１】実施例に係る照明装置において光源、光ガイド部及びカバー部材を共に示す図である。
【図１２】実施例に係る照明装置から放出される光のイメージを示す図である。
【図１３】他の実施例に係る照明装置において光源、光ガイド部及びカバー部材を共に示す図である。
【図１４Ａ】図１３で放出される光の出力分布を示す図である。
【図１４Ｂ】図１３で放出される光の出力分布を示す図である。
【発明を実施するための形態】
【００２８】
以下、上記の目的を具体的に実現できる本発明の実施例を、添付の図面を参照して説明する。
【００２９】
実施例の説明において、各エレメントの「上又は下（ｏｎ  ｏｒ  ｕｎｄｅｒ）」に形成されると記載される場合において、上又は下（ｏｎ  ｏｒ  ｕｎｄｅｒ）は２つのエレメントが互いに直接（ｄｉｒｅｃｔｌｙ）接触する場合も、一つ以上の他のエレメントが前記２つのエレメントの間に配置されて（ｉｎｄｉｒｅｃｔｌｙ）形成される場合も含む。また、「上又は下（ｏｎ  ｏｒ  ｕｎｄｅｒ）」と表現される場合、一つのエレメントを基準に上方の他に下方の意味も含むことができる。
【００３０】
また、以下に使われる「第１」及び「第２」、「上／上部／上側」及び「下／下部／下側」などの関係的用語は、それらの実体又は要素間のいかなる物理的又は論理的関係又は順序を必ずしも要求又は内包しなく、いずれか一つの実体又は要素を他の実体又は要素と区別する目的でのみ使われてもよい。また、同一の参照番号は図面の説明を通じて同一の要素を示す。
【００３１】
また、以上に記載された「含む」、「構成する」又は「有する」などの用語は、特に反対の記載がない限り、当該構成要素が内在され得ることを意味するものであるので、他の構成要素を除外するためのものではなく、他の構成要素をさらに含み得ると解釈されるべきである。また、以上で記載された「対応する」などの用語は、「対向する」又は「重なる」という意味の少なくとも一つを含むことができる。
【００３２】
図１は、実施例に係る照明装置の光源と光ガイド部の上面示す図であり、図２は、図１のＩ−Ｉ’軸方向の側断面図である。
【００３３】
実施例に係る照明装置は、光源１１〜１６、光ガイド部１００及びカバー部材２００を含むことができる。
【００３４】
光源１１〜１６は同心円の中心（Ｃｅｎｔｅｒ）を囲み、図１において点線で表示された同心円の円周上に配置され得る。光源１１〜１６は６個が示されているが、必ずしもこれに限定しない。
【００３５】
説明の便宜上、光源１１〜１６を第１光源１１〜第６光源１６と区分できるが、それぞれの光源１１〜１６は互いに同じ形状であり得る。
【００３６】
図２に第２光源１２が示されている。第２光源１２は、回路基板１２ａと、回路基板１２ａ上に配置される発光素子１２ｂとを含むことができる。
【００３７】
回路基板１２ａは印刷回路基板（Ｐｒｉｎｔｅｄ  Ｃｉｒｃｕｉｔ  Ｂｏａｒｄ）、又は軟性回路基板（Ｆｌｅｘｉｂｌｅ  Ｐｒｉｎｔｅｄ  Ｃｉｒｃｕｉｔ  Ｂｏａｒｄ）などであり得るが、必ずしもこれに限定しない。
【００３８】
発光素子１２ｂは、例えば発光ダイオード（Ｌｉｇｈｔ  ｅｍｉｔｔｉｎｇ  ｄｉｏｄｅ）であり得るが、これに限定しない。発光ダイオードは、過剰な電子と正孔の再結合によって光を放出するｐ−ｎ接合ダイオードであり、半導体のｐ−ｎ接合を用いて順方向に電圧をかけると、ｎ領域にある電子がｐ領域の正孔に出会って再結合発光を起こす原理を用いる。
【００３９】
それぞれの発光素子１２ｂは、互いに独立して駆動されてもよく、連動して同じ信号によって駆動されてもよい。後述する図９のイメージは、照明装置内で６個の発光素子が同時に発光した時の照明装置の外部イメージを示す図である。
【００４０】
光ガイド部１００は、光源１１〜１６を囲んで配置され、光源１１〜１６と隣接して配置され得る。具体的には、光ガイド部１００は、中央の第１領域１１０と、第１領域１１０周りの第２領域１２０を含むが、第１領域１１０と第２領域１２０が互いに物理的に区分されず、互いに同じ材料からなって一体になり得る。また、第１領域１１０の厚さは第２領域１２０の厚さと同一であり得る。
【００４１】
光ガイド部１００は、例えば導光板（Ｌｉｇｕｔ  Ｇｕｉｄｅ  Ｐｌａｔｅ）であり得るが、必ずしもこれに限定しない。導光板は、例えば、ＰＭＭＡ（ＰｏｌｙＭｅｔｈｙｌ  ＭｅｔｈＡｃｒｙｌａｔｅ）樹脂で作られた透明アクリルパネルであり得る。
【００４２】
光ガイド部１００の第１領域１１０は、光源１１〜１６を囲み、縁が上記の同心円の中心（Ｃｅｎｔｅｒ）を囲む円周をなすことができ、第２領域１２０は第１領域１１０の周りに備えられ、縁が前記同心円の中心（Ｃｅｎｔｅｒ）を囲む円周をなすことができる。
【００４３】
光ガイド部１００の第１領域１１０には複数個の溝ｇ１〜ｇ６が設けられ得るが、説明の便宜上、第１溝ｇ１〜第６溝ｇ６と呼ぶことができる。それぞれの溝ｇ１〜ｇ６には上述した光源１１〜１６を一つずつ挿入して配置することができ、溝ｇ１〜ｇ６の個数と光源１１〜１６の個数は互いに同一であり得る。
【００４４】
図２を参照すると、それぞれの溝ｇ１〜ｇ６は光ガイド部１００の第１領域１１０において下部が開放形成され、それぞれの溝ｇ１〜ｇ６の開放された下部の領域に光源１１〜１６が挿入されて配置され得る。そして、それぞれの溝ｇ１〜ｇ６の上部は開放されてもよいが、光ガイド部１００をなす材料で遮断され得る。
【００４５】
それぞれの溝ｇ１〜ｇ６の側面は、光ガイド部１００をなす材料で囲まれ得る。これは図６を参照して後述する。
【００４６】
図２において、光ガイド部１００において光源方向の側面を第１面（内側面）と称し、第１面（内側面）と反対方向の側面を第２面（外側面）と称することができる。このとき、上記の第１面（内側面）と第２面（外側面）はそれぞれ、光源１１〜１６から放出された各光の光軸に対して傾斜を有することができる。ここで、「傾斜を有する」とは、図２に示すように、点線で表示された光Ｌ２の水平方向の進行方向に対して上述の第１面（内側面）及び第２面（外側面）が垂直とならず、この垂直の方向に対して傾くことを意味する。
【００４７】
図３は、図１において光源と光ガイド部の第２領域を詳細に示す図であり、図４は図３の一部分を拡大した断面図であり、図５は、図３の他の部分を拡大した断面図である。
【００４８】
以下では、図３〜図５を参照して、この実施例に係る照明装置の光ガイド部の下面の第１パターンを詳細に説明する。
【００４９】
図３に、光ガイド部の第１光源１１と隣接した光ガイド部の第２領域１２０と、立体効果形成部１２１が示されている。図３では、光ガイド部の下面に、上述した第１パターンＰ１を有する第２領域１２０を図示し説明する。
【００５０】
光ガイド部の第２領域１２０の厚さｔ１は、約０．１ｍｍ以上約１０．０ｍｍ以下であり得る。光ガイド部の第２領域１２０の厚さｔ１が０．１ｍｍより小さいと、第１光源１１の高さｔ２をより一層小さく製造しなければならず、製造費用が増加することがある。また、光ガイド部の第２領域１２０の厚さｔ１が１．０ｃｍより大きいと、照明装置の厚さ及び重さが増加したり材料費用が増加することがある。
【００５１】
立体効果形成部１２１は、光ガイド部の第２領域１２０の一面の一部を除去して設けられる複数のパターン１２１を含むことができる。複数のパターン１２１は、光ガイド部の第２領域１２０の第１面又は第１面の反対側である第２面１２０ａに対して傾斜した傾斜面１２１ａ，１２１ｂ１を有し、第１面に一定方向（ｘ方向）に順次配列される凹部又は凸部を含むことができる。
【００５２】
複数のパターン１２１は上述した第１パターンＰ１の一部であり得る。そして、第１光源１１と光ガイド部の第２領域１２０ａは一定間隔ｗ０離隔して配置され得る。この間隔ｗ０は、エアー（ａｉｒ）が満たされるか、或いはレジンなどの透明材質が満たされ得る。
【００５３】
第１光源１１の光出射面は光ガイド部の第２領域１２０の側面と向かい合うように配置され、円形、楕円形、三角形、四角形又は五角形以上の多角形の形状を有することができる。
【００５４】
光ガイド部の第２領域１２０の厚さ方向における第１光源１１の高さｔ２は、光ガイド部の第２領域１２０の厚さｔ１よりも小さくてよいが、第１光源１１の光出射面から出る光が、図３の上下方向に広がりつつ進行して光ガイド部の第２領域１２０の側面に入射し得るためである。
【００５５】
光ガイド部の第２領域１２０の内部で移動する光は、立体効果形成部１２１の複数のパターンの傾斜面１２１ａ，１２１ｂにおける反射及び屈折によって光ガイド部の第２領域１２０の内部で伝達され得る。
【００５６】
図４を参照すると、立体効果形成部１２１の各パターンの傾斜面１２１ａ，１２１ｂに当たる光は、その入射角によって屈折又は反射される。この時、入射角が臨界角θｃよりも小さいと、光ガイド部１０ａを通る光はパターンを透過しながら屈折率差によって屈折して進行し、入射角が臨界角θｃ以上のとき、パターンの傾斜面１２１ａ，１２１ｂで反射され得る。
【００５７】
光ガイド部の第２領域１２０を通る入射光に対する適切な屈折及び反射のために、各パターンの傾斜面１２１ａ，１２１ｂが所定の表面粗さ（ｓｕｒｆａｃｅ  ｒｏｕｇｈｎｅｓｓ）を有することができる。
【００５８】
上述したように、立体効果形成部１２１のパターンを設計して複数のパターンの傾斜面１２１ａ，１２１ｂにおける屈折及び反射性能を調節し、特定の経路に進行する線形光又は立体効果光を具現することができる。
【００５９】
図５において、立体効果形成部１２１の複数のパターンのうち、第１〜第３パターンＰ１〜Ｐ３を詳細に示している。ここで、第１パターン〜第３パターンＰ１，Ｐ２，Ｐ３は、光源から遠ざかる順序で配置され、互いに連続して配置されるパターンであり得るが、互いに隣接した２つのパターンの間に更に他のパターンが配置されてもよい。
【００６０】
立体効果形成部をなす複数のパターンは、各傾斜面における屈折及び反射によって、光ガイド部の第２領域１２０の外部から見る時、第１光源（図示せず）からの距離ｄ１，ｄ２，ｄ３が増加することによって、間接光源として作用する。この時、上記の複数のパターンの光経路上の特定部分がそれぞれ間接光源として作用でき、それぞれをダミー光源ＬＳ１，ＬＳ２，ＬＳ３と呼ぶことができる。
【００６１】
本実施例による照明装置において、光ガイド部の特に第２領域１２０の下面に設けられる複数のパターンの傾斜面によって、光源からの距離が遠くなるにつれて光経路が順に長くなりつつ輝度が低くなる間接光源として作用でき、これによって、照明装置は光ガイド部の厚さ方向において遠近又は奥行きの距離が感じられる立体効果光（Ｔｈｒｅｅ−ｄｉｍｅｎｓｉｏｎａｌ  ｅｆｆｅｃｔ  ｂｅａｍ）を生成することができる。
【００６２】
図６は、実施例に係る照明装置におけるカバー部材の斜視図であり、図７は、図６のカバー部材の上面を示す図である。
【００６３】
カバー部材２００は、光拡散領域２２０と、前記光拡散領域２２０の内側領域２１０及び外側領域２３０を含むことができる。
【００６４】
内側領域２１０と光拡散領域２２０は、上述した光源１１〜１６と光ガイド部１００の上部に設けられ、外側領域２３０は光ガイド部１００の側面に設けられ得る。
【００６５】
内側領域２１０と外側領域２３０は遮光部でよく、光を遮断する材料からなるか、光を遮断する特性を有することができる。光拡散領域２２０は、光を拡散する透光性材料からなり得、透光性パターンＰ２が設けられ得る。
【００６６】
図７において透光性パターンＰ２は、図１において複数個の光源１１〜１６のそれぞれと対応し、前記光源１１〜１６の上部に配置され得る。
【００６７】
内側領域２１０は光ガイド部１００の第１領域１１０の上面と向かい合って設けられ、光拡散領域２２０は光ガイド部１００の第２領域１２０の上面と向かい合って設けられ得る。
【００６８】
図８は、図１において各発光素子から出射される光の光軸を示す図である。
【００６９】
図８において複数個の光源１１〜１６のそれぞれの光出射面は、同心円の中心（Ｃｅｎｔｅｒ）と反対方向に備えられ得る。すなわち、複数個の光源１１〜１６は同心円の中心（Ｃｅｎｔｅｒ）から光ガイド部１００の縁の方向に光を放出し得る。
【００７０】
そして、複数個の光源１１〜１６から放出される光Ｌ１〜Ｌ６の光軸は、同心円の中心（Ｃｅｎｔｅｒ）から延長して配置され得る。すなわち、図５で、同心円の中心（Ｃｅｎｔｅｒ）は光ガイド１００の中心と一致し得る。具体的には、それぞれの光源１１〜１６から出射される光Ｌ１〜Ｌ６の経路を点線で表示し、これら光Ｌ１〜Ｌ６の点線で表示された経路を光源１１〜１６を通過して延長して実線で表示すると、これらの実線は同心円の中心（Ｃｅｎｔｅｒ）で会うことができる。
【００７１】
そして、図８で、隣接して配置される光源１１〜１６から放出される光Ｌ１〜Ｌ６の光軸がなす角度θ１２〜θ６１は同一であり得る。
【００７２】
すなわち、第１光源１１から放出される光の光軸Ｌ１と第２光源１２から放出される光の光軸Ｌ２とがなす角度θ１２、第２光源１２から放出される光の光軸Ｌ２と第３光源１３から放出される光の光軸Ｌ３とがなす角度θ２３、第３光源１３から放出される光の光軸Ｌ３と第４光源１４から放出される光の光軸Ｌ４とがなす角度θ３４、第４光源１４から放出される光の光軸Ｌ４と第５光源１５から放出される光の光軸Ｌ５とがなす角度θ４５、第５光源１５から放出される光の光軸Ｌ５と第６光源１６から放出される光の光軸Ｌ６とがなす角度θ５６、及び第６光源１６から放出される光の光軸Ｌ６と第１光源１１から放出される光の光軸Ｌ１とがなす角度θ６１は、互いに同一であり得る。図５で６個の光源１１〜１６が備えられ、上述した角度θ１２〜θ６１は５０°であり得る。
【００７３】
図９は、図１において第２溝内の第２光源を詳細に示す図である。
【００７４】
第２溝ｇ２内に設けられた第２光源１２が示されている。それぞれの溝ｇ１〜ｇ６の形状は、上述した同心円の中心（Ｃｅｎｔｅｒ）に対して点対称して同一であり得る。
【００７５】
図９は、第２溝ｇ２の水平方向の断面であり、第２溝ｇ２の水平方向の断面は少なくとも４個の辺を有することができ、実際に溝ｇ２は立体形状を有するので、４個の辺を第１面〜第４面と称することができる。
【００７６】
第２溝ｇ２を水平方向に第１面〜第４面が囲むとき、第１面は第２光源１２の光出射面の方向に設けられ、第２面は第１面と向かい合って配置され、第３面及び第４面は前記第１面と第２面との間で向かい合って配置され得る。
【００７７】
図１０は、図１において第２光源から放出された光の光ガイド部を通る経路を示す図である。
【００７８】
第２光源１２は、第２回路基板１２ａ上の第２発光素子１２ｂを含み、第２発光素子１２ｂから放出された光Ｌ２は光ガイド部に進行し得る。この時、光Ｌ２は、一部が光ガイド部に入射する光入射面から反射され、光ガイド部に入射した光は、光出射面から反射され得る。ここで、光入射面は、図７において、左側に示された光ガイド部の傾斜した領域であり、光出射面は右側に示された光ガイド部の傾斜した領域であり得る。そして、光入射面は図２の第１面（内側面）であり得、光出射面は図２の第２面（外側面）であり得る。
【００７９】
図１０において、光ガイド部の光入射面である第１面が第２光源１２から放出される光Ｌ２の光軸に対して傾いた角度θｉと、光ガイド部の光出射面である第２面が第２光源１２から放出される光Ｌ２の光軸に対して傾いた角度θｏとが互いに同一であり得る。これらの角度θｉ，θｏによって光ガイド部の光入射面と光出射面から光が上方に反射され得る。
【００８０】
例えば、光ガイド部の光入射面である第１面が第２光源１２から放出される光Ｌ２の光軸に対して傾いた角度θｉは４０°〜５０°であり、光ガイド部の光出射面である第２面が第２光源１２から放出される光Ｌ２の光軸に対して傾いた角度θｏは１３０°〜１４０°であり得る。ここで、光Ｌ２の光軸に対して入射面と光出射面が傾いた程度は互いに同一であるが、これらの角度θｉ，θｏは互いに９０°の差を有するように表示され得る。
【００８１】
上述した角度θｉ，θｏが前記の範囲よりも小さいか大きいと、光ガイド部の光入射面と光出射面から反射される光が図７の上部面の方に向かわず、他の方向に向かうことがあり、照明装置の光効率が低下し得る。
【００８２】
そして、光ガイド部の下部表面には第１パターンＰ１が形成され得る。第１パターンＰ１は、例えば点マトリックス状に設けられるか、線状に刻まれて設けられ得、光ガイド部に入射した光を光ガイド全面に均等に拡散させることができる。
【００８３】
図１１は、実施例に係る照明装置において光源、光ガイド部及びカバー部材を共に示す図である。
【００８４】
照明装置においてカバー部材２００の内部に光源１２，１５と光ガイド部１００が挿入して配置されている。
【００８５】
光源１２，１５から放出された光Ｌ２，Ｌ５は、光ガイド部１００の光入射面と光出射面からそれぞれ反射され、反射された光はカバー部材２００の方向に進行し得る。
【００８６】
そして、図６及び図７で説明したように、光ガイド部１００の第１領域１１０の上部にはカバー部材２００の内側領域２１０が配置され、光ガイド部１００の第２領域１２０の上部にはカバー部材２００の光拡散部２２０が配置され得る。
【００８７】
したがって、光ガイド部１００の第２領域１２０から上方に進行した光は、カバー部材２００の光拡散領域２２０を通過し得る。そして、カバー部材２００の外側領域２３０は遮光部であるので、光がカバー部材２００の側面に進行することを防ぐことができる。
【００８８】
図１１で、カバー部材２００の内側領域の厚さは光拡散領域の厚さよりも厚くし得る。このような厚さの偏差によって、光ガイド部１００の第１領域１１０の上面はカバー部材２００の内側領域の下面と接触し、光ガイド部１００の第２領域１２０の上面はカバー部材２００の光拡散領域の下面と離隔して設けられ得る。
【００８９】
そして、光ガイド部１００の第２領域１２０の上面とカバー部材２００の光拡散領域の下面との離隔した領域にはエアーガイド（ａｉｒ  ｇｕｉｄｅ）が形成され、光ガイド部１００から放出された光がエアーガイド領域でカバー部材２００の方向に拡散しつつ進行し得る。
【００９０】
図１２は、実施例に係る照明装置から放出される光のイメージを示す図である。
【００９１】
照明装置から放出される光量が多い領域が赤色で示されている。中心を通る６つの直線は、上述したカバー部材の透光性パターンＰ２によってそれぞれの光の光軸方向上に表示されている。そして、それぞれの直線が一対で表示されるが、透光性パターンＰ２の形状によってこのようなイメージが可能であり得る。
【００９２】
また、イメージの中央領域と周縁の領域にそれぞれ円形に赤色が示されている。上述したように、光ガイド部の光入射面と光出射面のそれぞれから反射されてカバー部材の方向に進行した光がこの円形として表示され得る。
【００９３】
実施例に係る照明装置は、上述した光ガイド部の光入射面及び光出射面の傾斜した構成によって集光効果が向上し、従来の照明装置に比べて、前面に進行する光量が増加し、また内部及び外部に円形をなす光が表示されて新しいイメージを具現している。
【００９４】
図１３は、他の実施例に係る照明装置において光源、光ガイド部及びカバー部材を共に示す図である。
【００９５】
本実施例に係る照明装置は、上述した図１〜図１２に示した実施例と略同様であり、ただし、光ガイド部の第１面及び第２面が光軸に対して垂直に設けられ、カバー部材において光ガイド部と向かい合う内側面が前記の光軸に対して傾斜を有するという点が異なる。
【００９６】
具体的には、照明装置においてカバー部材１２００の内部に光源１０１２，１０１５と光ガイド部１１００が挿入して配置されている。光源１０１２，１０１５から放出された光Ｌ２，Ｌ５は光ガイド部１１００の光入射面と光出射面でそれぞれ反射され、反射された光はカバー部材１２００の方向に進行し得る。
【００９７】
そして、第２光源１０１２及び第５光源１０１５と向かい合う光ガイド部１１００の第１面及び前記第１面と反対方向の第２面は、前記の光Ｌ２，Ｌ５の光軸と垂直に配置され得る。そして、カバー部材１２００の内側面は上述した光Ｌ２，Ｌ５の光軸に対してそれぞれ一定角度θ１０２，θ１０５で配置され得る。これらの角度θ１０２，θ１０５によって、光ガイド部１１００を通過してカバー部材１２００に進行する光がカバー部材１２００の内側面で反射されて図１３の上方に進行し得る。これらの角度θ１０２，θ１０５は４５°〜５０°であり得る。
【００９８】
図１４Ａ及び図１４Ｂは、図１３で放出される光の出力分布を示す図である。
【００９９】
図１４Ａは、従来の照明装置から出射される光の出力分布を示している。水平方向Ｈの照度が基準値の８７％程度で暗すぎ、垂直方向Ｖの照度は基準値の１７７％を表す。
【０１００】
図１４Ｂは、図１３の実施例に係る照明装置から出射される光の出力分布を示している。水平方向Ｈの照度が基準値の１０５％程度を表し、垂直方向Ｖの照度は基準値の１７２％を表す。
【０１０１】
したがって、実施例のように照明装置においてカバー部材の内側面を傾斜にすると、光ガイド部を通過した光がカバー部材の内側面で反射され、照明装置の縁領域における照度が上昇し得る。
【０１０２】
以上、実施例を中心に説明したが、これは単なる例示であり、本発明を限定するものではない。したがって、本発明の属する分野における通常の知識を有する者であれば、本実施例の本質的な特性を逸脱しない範囲で以上に例示されていない様々な変形や応用が可能であることが理解できよう。例えば、実施例に具体的に示された各構成要素は変形して実施できよう。そして、このような変形や応用に関係する差異点は、添付する特許請求の範囲で規定する本発明の範囲に含まれるものとして解釈すべきであろう。
【産業上の利用可能性】
【０１０３】
実施例に係る照明装置は、室内照明及び街灯などに利用可能である。
【図１】
2020534646.tif 000003
【図２】
2020534646.tif 000004
【図３】
2020534646.tif 000005
【図４】
2020534646.tif 000006
【図５】
2020534646.tif 000007
【図６】
2020534646.tif 000008
【図７】
2020534646.tif 000009
【図８】
2020534646.tif 000010
【図９】
2020534646.tif 000011
【図１０】
2020534646.tif 000012
【図１１】
2020534646.tif 000013
【図１２】
2020534646.tif 000014
【図１３】
2020534646.tif 000015
【図１４Ａ】
2020534646.tif 000016
【図１４Ｂ】
2020534646.tif 000017
【手続補正書】
【提出日】令和2年3月23日(2020.3.23)
【手続補正１】
【補正対象書類名】明細書
【補正対象項目名】００５１
【補正方法】変更
【補正の内容】
【００５１】
立体効果形成部１２１は、光ガイド部の第２領域１２０の一面の一部を除去して設けられる複数のパターン１２１を含むことができる。複数のパターン１２１は、光ガイド部の第２領域１２０の第１面又は第１面の反対側である第２面１２０ａに対して傾斜した傾斜面１２１ａ，１２１ｂを有し、第１面に一定方向（ｘ方向）に順次配列される凹部又は凸部を含むことができる。
【手続補正２】
【補正対象書類名】特許請求の範囲
【補正対象項目名】全文
【補正方法】変更
【補正の内容】
【特許請求の範囲】
【請求項１】
同心円の円周上に配置される複数個の光源；
前記光源を囲み、前記光源と隣接して配置される光ガイド部；及び
前記光源の上面と前記光ガイド部の上面及び側面を囲むカバー部材を含み、
前記光ガイド部は、前記光源方向の第１面及び前記光源と反対方向の第２面が、前記光源から放出された光の光軸に対して傾斜を有し、
前記カバー部材は、前記光ガイド部の上面と向かい合う光拡散領域で透光性パターンを有し、
前記光ガイド部は、中央の第１領域に複数個の溝が設けられ、前記溝のそれぞれに前記複数個の光源が一つずつ挿入され、
それぞれの溝の形状は、前記同心円の中心に対して点対称して同一である、照明装置。
【請求項２】
前記複数個の光源の光出射面は前記同心円の中心と反対方向に配置される、請求項１に記載の照明装置。
【請求項３】
前記複数個の光源から放出される光の光軸は、前記同心円の中心から延長して配置され、
隣接した前記光源から放出される光の光軸同士がなす角度は、互いに同一である、請求項１又は２に記載の照明装置。
【請求項４】
前記それぞれの溝の水平方向の断面は少なくとも４個の辺を有し、
前記それぞれの溝は、前記光源の光出射面方向の第１面と、前記第１面と向かい合う第２面と、前記第１面と第２面との間の第３面及び第４面を含む、請求項１〜３のいずれかに記載の照明装置。
【請求項５】
前記光ガイド部の光入射面が前記光源から放出される光の光軸に対して傾いた程度と、前記光ガイド部の光出射面が前記光源から放出される光の光軸に対して傾いた程度とが同一である、請求項４に記載の照明装置。
【請求項６】
前記光ガイド部の光入射面が前記光源から放出される光の光軸に対して傾いた第１角度は４０°〜５０°であり、
前記光ガイド部の光出射面が前記光源から放出される光の光軸に対して傾いた第２角度は１３０°〜１４０°である、請求項１〜５のいずれかに記載の照明装置。
【請求項７】
前記カバー部材の透光性パターンは、前記複数個の光源から放出される光の光軸の上部に配置される、請求項４〜６のいずれかに記載の照明装置。
【請求項８】
前記カバー部材は、前記透光性パターンの内側領域と外側領域に遮光部をさらに含み、前記内側領域の厚さは前記光拡散領域の厚さよりも厚い、請求項４〜７のいずれかに記載の照明装置。
【請求項９】
前記光ガイド部は、下面に第１パターンが設けられた、請求項４〜８のいずれかに記載の照明装置。
【請求項１０】
前記光ガイド部と前記カバー部材とが互いに離隔配置され、前記離隔した領域にエアーガイド（ａｉｒ  ｇｕｉｄｅ）が形成される、請求項４〜９のいずれかに記載の照明装置。
【国際調査報告】
2020534646.tif 000018
2020534646.tif 000019
2020534646.tif 000020
2020534646.tif 000021
2020534646.tif 000022
2020534646.tif 000023